(57)【要約】【課題】容器本体内に敷マットを入れて果実等が傷みにくいようにしたものであって、敷マットを入れる際の位置決めが容易にできるようにし、これにより包装作業時の作業性を高めることができる包装容器を提供する。【解決手段】包装容器(A1)は、合成樹脂シートで成形された容器本体(1)と、容器本体(1)に入れる敷マット(2)を有している。容器本体(1)は底容器(10)と蓋容器(11)で構成され、これらを閉じた状態で容器本体(1)の内外で通気させることができる通気手段(121)を備えており、底容器(10)には収容部を備えている。敷マット(2)はクッション性を有し、底容器(10)の収容部の位置に合わせて設けられ果実等を入れ込んで変形させるための切り込みを備えており、底容器(10)には敷マット(2)が所定の位置に収まるようにする位置決め手段(14,20)が設けられている。【選択図】図５
2007197067.tif 000002
【特許請求の範囲】
【請求項１】
合成樹脂シートで成形された容器本体(1)と、該容器本体(1)に入れる緩衝用敷物(2)を有しており、
上記容器本体(1)は底容器(10)と、該底容器(10)とつながった蓋容器(11)を含んで構成され、上記底容器(10)と蓋容器(11)を閉じた状態または包装時の状態で上記容器本体(1)の内外で通気させることができる通気手段(121,19)を備えており、
上記底容器(10)または／及び蓋容器(11)には所要数の収容部(13,16)を備えており、
上記緩衝用敷物(2)はクッション性を有し、容器本体(1)の収容部(13,16)の位置に合わせて設けられ被包装物を入れ込んで変形させるための切り込み(a,b,c,d,e,f,g,h,i)を備えており、
上記容器本体(1)または／及び緩衝用敷物(2)には容器本体(1)内における緩衝用敷物(2)が所定の位置に収まるようにする位置決め手段(14,20)が設けられている、
包装容器。
【請求項２】
合成樹脂シートで成形された容器本体(1)と、該容器本体(1)に入れる緩衝用敷物(2)を有しており、
上記容器本体(1)は底容器(10)と、該底容器(10)とつながった蓋容器(11)を含んで構成され、上記底容器(10)と蓋容器(11)を閉じた状態または包装時の状態で上記容器本体(1)の内外で通気させることができる通気手段(121,19)を備えており、
上記底容器(10)または／及び蓋容器(11)には所要数の収容部(13,16)と、上記緩衝用敷物(2)と係合して緩衝用敷物(2)を止めるための係合体(14)が設けられており、
上記緩衝用敷物(2)はクッション性を有し、上記容器本体(1)の係合体(14)に係合することで緩衝用敷物(2)の位置を所要位置に決めるための位置決め穴(20)と、容器本体(1)の収容部(13,16)の位置に合わせて設けられ被包装物を入れ込んで変形させるための切り込み(a,b,c,d,e,f,g,h,i)を備えている、
包装容器。
【請求項３】
底容器(10)と蓋容器(11)を閉じた状態または包装時の状態で、蓋容器(11)の天部(17)が内部側へ変形しないよう係合体(14)によって直接または間接的に支えられる構造である、
請求項１または２記載の包装容器。
【請求項４】
通気手段が、底容器(10)と蓋容器(11)を閉じた状態または包装時の状態で上記底容器(10)の周縁部と蓋容器(11)の周縁部の間に、底容器(10)と蓋容器(11)をつないだ部分(12)を除く全周にわたり形成される隙間部(19)で構成されている、
請求項１、２または３記載の包装容器。
【請求項５】
請求項２、３または４記載の包装容器に使用する緩衝用敷物(2)であって、
クッション性を有し、容器本体(1)の係合体(14)に係合することで緩衝用敷物(2)の位置を所要位置に決めるための位置決め穴(20)と、収容部(13,16)の位置に合わせて設けられ被包装物を入れ込んで変形させるための切り込み(a,b,c,d,e,f,g,h,i)を備えている、
包装容器に使用する緩衝用敷物。
【請求項６】
クッション性を有し、包装容器を構成する容器本体(1)の係合体(14)に係合することで緩衝用敷物(2)の位置を所要位置に決めるための位置決め穴(20)と、被包装物を収容する所要数の収容部(13,16)の位置に合わせて設けられ、被包装物を入れ込んで変形させるための切り込み(a,b,c,d,e,f,g,h,i)を備えている、
包装容器に使用する緩衝用敷物。
【請求項７】
切り込み(a,b,c,d,e,f,g,h,i)の基端を結ぶ線が、被包装物の投影形状を象るよう構成されている、
請求項５または６記載の包装容器に使用する緩衝用敷物。
【発明の詳細な説明】
【技術分野】
【０００１】
本発明は、包装容器及びそれに使用する緩衝用敷物に関するものである。更に詳しくは、例えば苺などの果実を包装し、容器本体内に緩衝用敷物を入れて緩衝性を高め輸送時の振動や衝撃で果実等が傷みにくいようにするものにおいて、容器本体内に緩衝用敷物を入れる際の位置決めが容易にできるようにして包装作業時の作業性を高めることができるようにしたものに関する。更に、容器本体の収容部に緩衝用敷物の上から果実等を入れ込むときに、緩衝用敷物がずれたりいびつに変形することを防止して包装状態で果実等が動きにくいようにし収まりをきれいにすることで見映えがするようにしたものに関する。
【背景技術】
【０００２】
例えば苺などの果実の包装には、合成樹脂シート製の上部が開口した箱状の容器を使用し、その容器の内部に苺を複数層（通常は二層）に並べて、上部開口側にラップフィルムをかける形態が長く用いられてきた。しかしながら、この包装形態では、苺を収容し包装した容器を積み重ねることができず販売時の陳列に場所をとることや、陳列時に見映えがせず高級志向の市場ニーズには対応できないなどの問題があった。
これらの問題を解消することができるものとして、例えば特許文献１に記載された苺容器が提案されている。
【０００３】
特許文献１に記載の苺容器は、苺を縦に半分以内で裁断した形状に類似した半苺形の複数の苺を収納する凹部が形成された底部と、複数の凹部で囲まれるほぼ中央部に形成された突出部と、底部の周囲を囲む周壁およびフランジと、このフランジに形成されたループ状の凸条よりなる身部と、頂面と、この頂面の周囲を囲む周壁およびフランジと、身部の突出部と対応する頂面上の位置に形成された突出部と、フランジに形成された身部のループ状の凸条と嵌合する段部を有する蓋部とを備え、連結部を介して身部と蓋部とを開閉自在に連結したものである。
【０００４】
【特許文献１】特開２００５−１５３９３４
【発明の開示】
【発明が解決しようとする課題】
【０００５】
特許文献１記載の苺容器では、包装作業時に各凹部に収容された苺は凹部の底面に直接触れるので苺表面にかかる面圧が比較的大きい。また、緩衝性にも問題があり、輸送時の振動や衝撃などを受けやすい。このため苺が傷みやすく、長持ちしないので、例えば輸送時間が長い場合などは耐えられないという課題がある。
【０００６】
また、凹部に入れられる苺の形状や大きさは一様ではないので、凹部にうまく収まらず凹部内で容易に動いてしまう場合がある。この場合は、輸送時の振動や衝撃などで苺の向きが不揃いになり、例え苺が高級品であっても見映えがしない。
【０００７】
なお、苺に限らずくだものなどを包装する際に、上記緩衝性の問題を解消するためにマットなどの緩衝体を使用することは、ごく一般的に行われている（例えば特開平１０−２８７３６９号公報参照）。しかし、このような緩衝体を上記苺容器に単に流用しようとしても、容器の構造や包装されるものが異なるので、容易にはできない。また、容器内での緩衝体の位置決めも厳格に行われるわけではなく、他の包装形態での包装作業の作業性を高め効率化を図る上で有用とはいえない。
【０００８】
（本発明の目的）
本発明の目的は、容器本体内に緩衝用敷物を入れて緩衝性を高め輸送時の振動や衝撃で果実等の被包装物が傷みにくいようにしたものであって、容器本体内に緩衝用敷物を入れる際の位置決めが容易にできるようにし、これにより包装作業時の作業性を高めることができる包装容器及びそれに使用する緩衝用敷物を提供することである。
【０００９】
本発明の他の目的は、容器本体の収容部に緩衝用敷物の上から果実等の被包装物を入れ込むときに、緩衝用敷物がずれたりいびつに変形することを防止し、包装状態で被包装物が動きにくいようにし収まりをきれいにすることで見映えがするようにした包装容器及びそれに使用する緩衝用敷物を提供することである。
【課題を解決するための手段】
【００１０】
上記課題を解決するために本発明が講じた手段は次のとおりである。
本発明は、合成樹脂シートで成形された容器本体と、該容器本体に入れる緩衝用敷物を有しており、
上記容器本体は底容器と、該底容器とつながった蓋容器を含んで構成され、上記底容器と蓋容器を閉じた状態または包装時の状態で上記容器本体の内外で通気させることができる通気手段を備えており、
上記底容器または／及び蓋容器には所要数の収容部を備えており、
上記緩衝用敷物はクッション性を有し、容器本体の収容部の位置に合わせて設けられ被包装物を入れ込んで変形させるための切り込みを備えており、
上記容器本体または／及び緩衝用敷物には容器本体内における緩衝用敷物が所定の位置に収まるようにする位置決め手段が設けられている、
包装容器である。
【００１１】
本発明は、合成樹脂シートで成形された容器本体と、該容器本体に入れる緩衝用敷物を有しており、
上記容器本体は底容器と、該底容器とつながった蓋容器を含んで構成され、上記底容器と蓋容器を閉じた状態または包装時の状態で上記容器本体の内外で通気させることができる通気手段を備えており、
上記底容器または／及び蓋容器には所要数の収容部と、上記緩衝用敷物と係合して緩衝用敷物を止めるための係合体が設けられており、
上記緩衝用敷物はクッション性を有し、上記容器本体の係合体に係合することで緩衝用敷物の位置を所要位置に決めるための位置決め穴と、容器本体の収容部の位置に合わせて設けられ被包装物を入れ込んで変形させるための切り込みを備えている、
包装容器である。
【００１２】
本発明に係る包装容器は、底容器と蓋容器を閉じた状態または包装時の状態で、蓋容器の天部が内部側へ変形しないよう係合体によって直接または間接的に支えられる構造であるのがより好ましい。
【００１３】
本発明に係る包装容器は、通気手段が、底容器と蓋容器を閉じた状態または包装時の状態で上記底容器の周縁部と蓋容器の周縁部の間に、底容器と蓋容器をつないだ部分を除く全周にわたり形成される隙間部で構成されているのがより好ましい。
【００１４】
本発明は、上記包装容器に使用する緩衝用敷物であって、
クッション性を有し、容器本体の係合体に係合することで緩衝用敷物の位置を所要位置に決めるための位置決め穴と、収容部の位置に合わせて設けられ被包装物を入れ込んで変形させるための切り込みを備えている、包装容器に使用する緩衝用敷物である。
【００１５】
本発明は、クッション性を有し、包装容器を構成する容器本体の係合体に係合することで緩衝用敷物の位置を所要位置に決めるための位置決め穴と、被包装物を収容する所要数の収容部の位置に合わせて設けられ、被包装物を入れ込んで変形させるための切り込みを備えている、包装容器に使用する緩衝用敷物である。
【００１６】
本発明に係る緩衝用敷物は、切り込みの基端を結ぶ線が、被包装物の投影形状を象るよう構成されているのがより好ましい。
【００１７】
（作用）
本発明に係る包装容器の作用を説明する。なお、ここでは、説明で使用する各構成要件のそれぞれに、後述する実施の形態において各部に付与した符号を対応させて付与するが、この符号は、特許請求の範囲の各請求項に記載した符号と同様に、あくまで説明の理解を容易にするためであって、各構成要件の意味を上記各部に限定するものではない。
【００１８】
果実等を包装する包装容器の作用を収容部が底容器に設けてある場合を例にとり説明する。この場合では、まず緩衝用敷物(2)を底容器(10)の上面に載せるように入れる。このとき、緩衝用敷物(2)に設けてある位置決め穴(20)を容器本体(1)の係合体(14)に嵌めるようにする（位置決め手段(14,20)によって緩衝用敷物(2)の位置を所定の位置に収める）。
【００１９】
これによって、緩衝用敷物(2)の位置が、緩衝用敷物(2)の切り込み(a,b,c,d,e,f,g,h,i)を設けた部分が容器本体(1)の各収容部(13,16)の位置にそれぞれ合う所定の位置に決まるので、包装作業時の作業性を高めることができる。なお、容器本体(1)は、底容器(10)と蓋容器(11)が閉じた状態が常態であるものもあるし、開いた状態が常態であるものもある。
【００２０】
容器本体(1)に緩衝用敷物(2)を上記のように入れた状態で、各収容部(13,16)に緩衝用敷物(2)の上から果実等を入れ込む。これにより、緩衝用敷物(2)の各切り込み(a,b,c,d,e,f,g,h,i)を設けた部分の切り込みで分かれた部分が収容部(13)側へ変形し、果実等は収容部(13)に収まる。全部の収容部(13)に同様にして果実等を収容し、最後に容器本体(1)の蓋容器(11)を閉じて包装する。また、この包装作業時の状態で通気手段(121,19)によって容器本体(1)の内外で通気させることができ、包装された果実の鮮度を維持できる。
【００２１】
果実等を包装する包装容器が、底容器と蓋容器を閉じた状態または果実等の包装作業時の状態で、蓋容器の天部が内部側へ変形しないよう係合体によって直接または間接的に支えられる構造であるものは、蓋容器(11)の天部(17)にある程度の荷重がかかっても変形しにくいので、果実等を収容し包装した包装容器(A1)を積み重ねることが可能になり、輸送や陳列をする際に省スペース化を図る上で有用である。
【００２２】
果実等を包装する包装容器の通気手段が、底容器と蓋容器を閉じた状態または果実等の包装作業時の状態で上記底容器の周縁部と蓋容器の周縁部の間に、底容器と蓋容器をつないだ部分を除く全周にわたり形成される隙間部で構成されているものは、例えば容器の壁部に開けた通気孔などに比べて、横方向からの冷気などが容易に通り抜けることができ、収容されている果実に対してより直接的で確実な通気が可能になるので、特に苺など鮮度を維持するために包装時の通気の確保が極めて重要な果実の包装に有用である。
【００２３】
緩衝用敷物の切り込みの基端を結ぶ線が、果実等の投影形状を象るよう構成されているものは、容器本体(1)の収容部(13)に緩衝用敷物(2)の上から果実を入れ込むときに、切り込み(a,b,c,d,e,f,g,h,i)で分かれた部分が果実の形状に沿って無理なく的確に変形することができるので、緩衝用敷物(2)がずれたりいびつに変形することを防止できる。これにより、包装状態での果実の収まりをきれいにすることができ、包装状態を外から見たときに見映えがするので商品価値も高まる。
【発明の効果】
【００２４】
（ａ）本発明は、容器本体内に緩衝用敷物を入れることによって、緩衝性を高め輸送時の振動や衝撃で果実等が傷みにくいようにすることができる。また、容器本体内に緩衝用敷物を入れる際に、緩衝用敷物に設けてある位置決め穴を容器本体の係合体に嵌めるなどの位置決め手段によって、緩衝用敷物の位置が、例えば緩衝用敷物の切り込みを設けた部分が容器本体の各収容部の位置にそれぞれ合う所定の位置に自動的に決まるので、作業者の能力にそれ程左右されることはなく、包装作業時の作業性を高めることができる。
【００２５】
（ｂ）包装容器が、底容器と蓋容器を閉じた状態または包装時の状態で、蓋容器の天部が内部側へ変形しないよう係合体によって直接または間接的に支えられる構造であるものは、蓋容器の天部にある程度の荷重がかかっても変形しにくいので、果実等の被包装物を収容し包装した包装容器を積み重ねることが可能になり、輸送や陳列をする際に省スペース化を図る上で有用である。
【００２６】
（ｃ）包装容器の通気手段が、底容器と蓋容器を閉じた状態または包装時の状態で上記底容器の周縁部と蓋容器の周縁部の間に、底容器と蓋容器をつないだ部分を除く全周にわたり形成される隙間部で構成されているものは、例えば容器の壁部に開けた通気孔などに比べて、横方向からの冷気などが容易に通り抜けることができ、収容されている果実等の被包装物に対してより直接的で確実な通気が可能になるので、特に苺など鮮度を維持するために包装時の通気の確保が極めて重要な果実の包装に有用である。
【００２７】
（ｄ）緩衝用敷物の切り込みの基端を結ぶ線が、被包装物の投影形状を象るよう構成されているものは、容器本体の収容部に緩衝用敷物の上から被包装物を入れ込むときに、切り込みで分かれた部分が被包装物の形状に沿って無理なく的確に変形することができるので、緩衝用敷物がずれたりいびつに変形することを防止できる。これにより、包装状態での被包装物の収まりをきれいにすることができ、包装状態を外から見たときに見映えがするので商品価値も高まる。
【発明を実施するための最良の形態】
【００２８】
本発明を図に示した実施例に基づき詳細に説明する。
【実施例１】
【００２９】
図１は本発明に係る苺包装容器の第１実施の形態を示す前側上方斜視図、
図２は苺包装容器の第１実施の形態を示す後側上方斜視図、
図３は苺包装容器の第１実施の形態を示す前側下方斜視図、
図４は苺包装容器の第１実施の形態に使用する敷マットの斜視図である。
【００３０】
苺包装容器Ａ１は、透明な合成樹脂シートで成形された容器本体１と、容器本体１に入れて使用されるウレタン樹脂製のスポンジで形成された緩衝用敷物である敷マット２で構成されている。
【００３１】
（容器本体１）
容器本体１は、周縁部形状が本質的に同じ形状の底容器１０と蓋容器１１により構成されており、底容器１０と蓋容器１１は所要の一辺側が連結部１２を介してつながれている。連結部１２は平板部１２０を有し、平板部１２０には等間隔で三箇所に通気手段を構成するほぼ円形の通気孔１２１が設けられている。
【００３２】
連結部１２は、平板部１２０の上下両端に全長に設けられた径小の湾曲部１２２によって、それぞれ底容器１０と蓋容器１１につながれている。この構造によれば、角が形成されるようにしてつながれる構造（直角曲げ構造など）と比較して曲げに対する耐久性にすぐれており割れにくい。なお、連結部１２は、常態（外力が作用しない状態）では底容器１０と蓋容器１１を開くように付勢する作用を有する。
【００３３】
（底容器１０）
底容器１０には、図３に示すように六箇所に収容部１３が設けられている。各収容部１３は、水平な基板１００からそれぞれ下方へ突出するように設けられ、上面側は凹部となっている。各収容部１３は、大粒の高級苺が収まりやすいように一方側が幅広く他方側がやや窄まり、平板状の底部１３０が上記幅広い部分側へ偏った位置に設けられ、苺の外径の一部をほぼ象った形状に形成されている。
【００３４】
そして、底部１３０はそれぞれ傾斜角度が異なる複数の斜板部１３１で収容部１３の縁部（基板１００の位置）とつながっている。また、各収容部１３の向き（平面視において窄まる方向）は底容器１０の辺方向と約４５°の角度を形成する向きで揃えてある。
【００３５】
底容器１０の基板１００の中央側二箇所（各々、周囲四箇所の収容部１３で囲まれる箇所）には、係合体１４が上方へ垂直に立つように設けられている。各係合体１４の上端は水平にかつ同じ高さに形成されている。各係合体１４の高さは、蓋容器１１を閉じたときに蓋容器１１の天部１７に内側から当接する高さ（または多少の隙間があってもよい）に設定されている。
【００３６】
底容器１０の周縁部には、全周にわたり段部１０１が基板１００から下側へ向け形成されている。この段部１０１は、底容器１０を補強する機能を有する。また、底容器１０の周縁部のうち底容器１０の開閉側となる二箇所の隅部は平面視で円弧状に形成されている。
【００３７】
また、底容器１０の開閉側の長辺側二箇所と両端辺側二箇所には、基板１００から下方へ突出して、上面側からでは凹部となる係合凹部１５が設けられている。各係合凹部１５は後述する蓋容器１１の係合凸部１８と係合し、蓋容器１１の閉じる位置を決め、係合状態を保持できるよう形成されている。なお、各係合凹部１５は各収容部１３の間からの延長位置に位置するよう設けられている。
【００３８】
（蓋容器１１）
蓋容器１１は、図１、図２に示すように上記底容器１０の収容部１３と対応する収容部１６が設けられている。各収容部１６は、水平な基板１１０からそれぞれ閉じたときの上方へ突出するように設けられ、下面側は凹部となっている。
【００３９】
また、各収容部１６の上部には、各収容部１６をつなぐようにほぼ長方形状の天部１７が設けられており、その周縁部には段部１７０が設けられている。この段部１７０は蓋容器１１を補強する機能を有する。なお、段部１７０の周縁部と各収容部１６は複数の斜板部１６０でつながれており、各収容部１６のの斜板１６０から膨出した部分は上記各収容部１３の対応部とほぼ対称となる形状に設けられている。
【００４０】
蓋容器１１の周縁部には、全周にわたり補強のための段部１１１が基板１１０から上側へ向け形成されている。また、蓋容器１１の周縁部のうち蓋容器１１の開閉側となる二箇所の隅部は平面視で円弧状に形成されている。
【００４１】
また、蓋容器１１の開閉側の長辺側二箇所と両端辺側二箇所には、基板１１０から下方へ突出して、上面側からでは凹部となる係合凸部１８が設けられている（図５参照）。各係合凸部１８は各収容部１６の間からの延長位置（長辺側ではほぼ三等分位置の内側二箇所、短辺側ではほぼ中央部）に位置するよう設けられている。各係合凸部１８は上記底容器１０の係合凹部１５と係合する。
【００４２】
底容器１０と蓋容器１１を閉じて、各係合凹部１５に各係合凸部１８を差し込み係合させて固定した状態では、図１ないし図３及び図６に示すように底容器１０の周縁部と蓋容器１１の周縁部の間に通気手段を構成する通気隙間１９が形成される。通気隙間１９は、底容器１０と蓋容器１１をつないだ連結部１２を除く全周にわたり形成され、横方向からの冷気などが容易に通り抜けることができるので、収容されている苺に対して直接的で確実な通気が可能になる。
【００４３】
また、上記と同様に底容器１０と蓋容器１１を閉じた状態では、底容器１０の係合体１４の上部が蓋容器１１の天部１７に内面側からほぼ当接し（わずかに隙間がある状態）、天部１７が下方へわずかでも変形すれば、それを支えることができる。なお、底容器１０と蓋容器１１を閉じた状態で係合体１４の上部が天部１７に当接するようにしてもよい。
【００４４】
（敷マット２）
上記容器本体１に収容されて使用される敷マット２は、所要厚さで全体にほぼ長方形（四隅は円弧状）の板状であり、容器本体１に収容したときに底容器１０と蓋容器１１の周縁部内側にほぼ収まる形状及び大きさにつくられている。
【００４５】
ウレタン樹脂製のスポンジで形成された敷マット２は、苺を載せたときに苺の荷重がかかっても苺表面を傷付けにくい適度なクッション性を有している。
敷マット２の中央側には、上記底容器１０の係合体１４に嵌め入れて係合することで敷マット２の位置を所要位置に決めるための位置決め穴２０が二箇所に設けられている。位置決め穴２０は、内周部が係合体１４の外周部に面が接触してちょうど嵌るように形成されているが、嵌め入れやすいように多少余裕をもって大きく形成してもよい。
【００４６】
また、敷マット２には、上記底容器１０の各収容部１３の位置に合わせて苺を入れ込んで変形させるための変形収容部２１を六箇所に備えている。各変形収容部２１は、八本の切り込みａ、ｂ、ｃ、ｄ、ｅ、ｆ、ｇ、ｈ、ｉで構成されている。切り込みａ、ｂとｃ、ｄは平行に設けられ、切り込みｅはこれらと直角に境界部を結んで設けられ、切り込みｆ、ｇは切り込みｅの一端から所要の角度をもって斜めに設けられ、更に切り込みｈ、ｉは切り込みｅの他端から所要の角度をもって斜めに設けられている。なお、切り込みの数はこれに限定されず、適宜設置できる。各切り込みａ〜ｉの基端を結ぶ線は、苺の投影形状を象るよう構成されている（図４において点線で表したＰ部分参照）。
【００４７】
敷マット２の周縁部には、上記底容器１０の係合凹部１５と蓋容器１１の係合凸部１８に対応する位置に切欠部２２が四箇所に設けられている。各切欠部２２は、係合凸部１８と接触しないようにすることで使用時の敷マット２の変形を防止するためのものである。
【００４８】
図５は苺包装容器の第１実施の形態において底容器の各収容部に敷マットの上から苺を収容した状態を示す斜視説明図、
図６は苺包装容器で苺を包装した状態の断面説明図である。
【００４９】
（作用）
苺の包装作業は次のように行う。
まず、敷マット２を位置決め穴２０を底容器１０の係合体１４に嵌め込み、底容器１０の上面に載せるように入れる。これによって、敷マット２の位置が、敷マット２の各変形収容部２１が底容器１０の各収容部１３の位置にそれぞれ合う所定の位置に自動的に決まる。このように、敷マット２の底容器１０に対する装着と位置決めが簡単にできるので、包装作業時の作業性を高めることができる。なお、この作業は包装作業の前作業としてあらかじめまとめて行っていてもよい。
【００５０】
底容器１０に敷マット２を上記のように入れた状態で、各収容部１３に敷マット２の上から苺Ｓを入れ込む。これにより、敷マット２の各変形収容部２１の切り込みａ〜ｉで分かれた部分が押されて収容部１３側へ収容部１３の内面に沿うように、またはなじむように変形し、苺Ｓは敷マット２を介在させた状態で各収容部１３に収まる（図５参照）。
【００５１】
なお、敷マット２の変形収容部２１を構成する切り込みａ〜ｉの基端を結ぶ線が、上記のように被包装物である苺の投影形状を象るよう構成されているので、上記のように苺を入れ込むときに、切り込みａ〜ｉで分かれた部分が苺の形状に沿って無理なく的確に変形することができ、敷マット２がずれたりいびつに変形することを防止できる。これにより、包装状態での苺Ｓの収まりをきれいにすることができ、包装状態を外から見たときに見映えがするので商品価値も高まる。そして、最後に容器本体１の蓋容器１１を閉じて包装する（図６参照）。
【００５２】
なお、底容器１０と蓋容器１１を閉じて各係合凹部１５に各係合凸部１８を差し込み係合させて固定した状態では、底容器１０の周縁部と蓋容器１１の周縁部の間に、連結部１２を除く全周縁部（三辺部）にわたり通気隙間１９が形成される。この通気隙間１９の間隔は、底容器１０と蓋容器１１の間に挟まっている敷マット２の厚さ（本実施の形態では約５ｍｍ）より若干広くなるように設定されており、十分な通気が可能である。
また、この構造によれば、通気隙間１９は収容されている苺の収まっている位置とほぼ同じ高さにあり、しかも横方向からの冷気などが容易に通り抜けることができるので、収容されている苺Ｓに対して直接的で確実な通気及び冷却が可能になり、苺の鮮度の維持に貢献できる。
【００５３】
また、上記包装状態では、底容器１０の係合体１４の上部が蓋容器１１の天部１７に内面側からほぼ当接しており、天部１７を本質的に変形しないよう支えることができる。これによれば、蓋容器１１の天部１７にある程度の荷重がかかっても変形しにくいので、苺Ｓを収容し包装した苺包装容器Ａ１を多段に積み重ねることが可能になり、輸送や陳列をする際に省スペース化を図ることができ、多様な陳列も可能になる。
【実施例２】
【００５４】
図７は本発明に係る苺包装容器の第２実施の形態を示す前側上方斜視図、
図８は苺包装容器の第２実施の形態を示す後側上方斜視図、
図９は苺包装容器の第２実施の形態を示す前側下方斜視図、
図１０は苺包装容器の第２実施の形態に使用する敷マットの斜視図、
図１１は苺包装容器の第２実施の形態において底容器の各収容部に敷マットの上から苺を収容した状態を示す斜視説明図である。
【００５５】
苺包装容器Ａ２は、苺の収容個数が六個ではなく八個であるところが上記苺包装容器Ａ１と相違するだけであり、構造的にもこの収容個数の違いに関連する部分のみが相違するだけである。したがって、苺包装容器Ａ２の説明では、図面において上記苺包装容器Ａ１と同等箇所に同一符号を付して示し、構造及び作用について重複する説明は基本的に省略する。
【００５６】
苺包装容器Ａ２は、容器本体１ａを構成する底容器１０ａに上記収容部１３と同様の収容部１３ａが八箇所に設けられており、係合体１４ａは中央の一箇所のみに設けられている。敷マット２ａには上記変形収容部２１と同様の変形収容部２１ａが同じく八箇所に設けられており、位置決め穴２０ａも中央の一箇所のみに設けられている。また、各収容部１３ａ及び変形収容部２１ａの向きは底容器１０ａの長辺方向と平行になる向きで揃えてある。
その他の部分の構造については、上記苺包装容器Ａ１と同様であるので、説明を省略する。また作用についても、苺Ｓの収容個数が八個である以外は同じく同様であるので、説明を省略する。
【００５７】
なお、本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【図面の簡単な説明】
【００５８】
【図１】本発明に係る苺包装容器の第１実施の形態を示す前側上方斜視図。
【図２】苺包装容器の第１実施の形態を示す後側上方斜視図。
【図３】苺包装容器の第１実施の形態を示す前側下方斜視図。
【図４】苺包装容器の第１実施の形態に使用する敷マットの斜視図。
【図５】苺包装容器の第１実施の形態において底容器の各収容部に敷マットの上から苺を収容した状態を示す斜視説明図。
【図６】苺包装容器で苺を包装した状態の断面説明図。
【図７】本発明に係る苺包装容器の第２実施の形態を示す前側上方斜視図。
【図８】苺包装容器の第２実施の形態を示す後側上方斜視図。
【図９】苺包装容器の第２実施の形態を示す前側下方斜視図。
【図１０】苺包装容器の第２実施の形態に使用する敷マットの斜視図。
【図１１】苺包装容器の第２実施の形態において底容器の各収容部に敷マットの上から苺を収容した状態を示す斜視説明図。
【符号の説明】
【００５９】
Ａ１  苺包装容器
１  容器本体
１０  底容器
１００  基板
１０１  段部
１１  蓋容器
１１０  基板
１１１  段部
１２  連結部
１２０  平板部
１２１  通気孔
１２２  湾曲部
１３  収容部
１３０  底部
１３１  斜板部
１４  係合体
１５  係合凹部
１６  収容部
１６０  斜板部
１７  天部
１７０  段部
１８  係合凸部
１９  通気隙間
２  敷マット
２０  位置決め穴
２１  変形収容部
ａ、ｂ、ｃ、ｄ、ｅ、ｆ、ｇ、ｈ、ｉ  切り込み
２２  切欠部
Ａ２  苺包装容器
１ａ  容器本体
１０ａ  底容器
１１ａ  蓋容器
１３ａ  収容部
１４ａ  係合体
２ａ  敷マット
２０ａ  位置決め穴
２１ａ  変形収容部
Ｓ  苺
【図１】
2007197067.tif 000003
【図２】
2007197067.tif 000004
【図３】
2007197067.tif 000005
【図４】
2007197067.tif 000006
【図５】
2007197067.tif 000007
【図６】
2007197067.tif 000008
【図７】
2007197067.tif 000009
【図８】
2007197067.tif 000010
【図９】
2007197067.tif 000011
【図１０】
2007197067.tif 000012
【図１１】
2007197067.tif 000013
【手続補正書】
【提出日】平成18年2月15日(2006.2.15)
【手続補正１】
【補正対象書類名】図面
【補正対象項目名】図５
【補正方法】変更
【補正の内容】
【図５】
2007197067.tif 000014